(57)【要約】【課題】  極めて簡単な構成により、押しボタンの中心軸の傾きを最小限にし、クリック感を持たし、押しボタン操作の誤動作を防止するようにした押しボタンスイッチ装置を提供することを目的とする。【解決手段】  押しボタン５は、一端が開口２１に露出し、他端がスイッチング素子４のスイッチ頭部４１を押圧する押しボタン操作子５１と、弾性機能を有し、押しボタン操作子５１を両側から挟むような状態で支持する一対の支持部５２と、これら支持部５２の基をなし、プリント回路基板３上に当接するように配設される基部５３とからなり、支持部５２は、基部５３から押しボタン操作子５１の胴部５１ｃに向かって湾曲したアーチ形状をなし、当該アーチの頂部近傍５２ａを押しボタン操作子５１の胴部５１ｃに一体的に形成する。【選択図】図１
2010272484.tif 000002
【特許請求の範囲】
【請求項１】
ハウジングと、このハウジング内に収納されたプリント回路基板に実装されたスイッチング素子と、前記ハウジングの前記スイッチング素子に対応する位置に設けられた開口を通じて前記スイッチング素子を押圧させる押しボタンとを備えた押しボタンスイッチ装置において、
前記押しボタンは、一端が前記開口に露出し、他端が前記スイッチング素子のスイッチ頭部を押圧する押しボタン操作子と、弾性機能を有し、前記押しボタン操作子を両側から挟むような状態で支持する一対の支持部と、これら支持部の基をなし、前記プリント回路基板上に当接するように配設される基部とからなり、前記支持部は、前記基部から前記押しボタン操作子の胴部に向かって湾曲したアーチ形状をなし、当該アーチの頂部近傍を前記押しボタン操作子の胴部に一体的に形成したことを特徴とする押しボタンスイッチ装置。
【請求項２】
前記押しボタンは、前記押しボタン操作子、前記支持部および前記基部がプラスチック樹脂からなり、金型成型により一体形成したことを特徴とする請求項１に記載の押しボタンスイッチ装置。
【請求項３】
前記ハウジングは、その内側に前記基部に向けて形成された基部固定部を有するとともに、前記基部は、前記基部固定部に対応する位置に形成され、当該基部固定部が嵌装される嵌装部を有し、前記基部固定部を前記嵌装部に嵌装することにより前記押しボタンを所定位置に位置決め固定したことを特徴とする請求項１または請求項２に記載の押しボタンスイッチ装置。
【請求項４】
前記基部は、前記プリント回路基板に向けて形成されたフックを有するとともに、前記プリント回路基板は、前記フックに対応する位置に形成され、当該フックが嵌入される嵌入部を有し、前記フックを前記嵌入部に嵌入することにより前記押しボタンを所定位置に位置決め固定したことを特徴とする請求項１または請求項２に記載の押しボタンスイッチ装置。
【発明の詳細な説明】
【技術分野】
【０００１】
本発明は、テレビジョン装置、ビデオ装置のなどの電気機器やこれら電気機器を操作するリモートコントロール送信機などに用いられるスイッチに関し、特に、押しボタンを操作する押しボタンスイッチ装置に関する。
【背景技術】
【０００２】
従来のこの種押しボタンスイッチ装置は、クリック感を持たすために、金属製の皿バネで、樹脂製のキートップを押し戻すようにしたものがある(例えば、特許文献１参照）。また、押釦体の中間部分にフランジ部を形成し、このフランジ部から一体のバネ部を片側にのみ形成するようにしたものがある(例えば、特許文献２参照）。
【先行技術文献】
【特許文献】
【０００３】
【特許文献１】特開平１１−３２９１４６号公報
【特許文献２】特開平９−７３８３３号公報
【発明の概要】
【発明が解決しようとする課題】
【０００４】
ところが、前述の特許文献１記載の構成では、クリック感を持たすために、別途、金属製の皿バネを用いる必要があり、部品点数が増加する他、組立作業が煩雑となるなどの問題点があった。また、前述の特許文献２記載の構成では、押釦体を押す際、片側に変位しないように、即ち、平行性を保つためには、押釦体の上下移動を支持する前面板と、取付板との距離を長くする必要がある。この結果、押しボタンスイッチ装置全体が大型化するといった問題があった。
【０００５】
本発明は、上述した問題を解決するためになされたものであり、極めて簡単な構成により、押しボタンの中心軸の傾きを最小限にし、クリック感を持たし、押しボタン操作の誤動作を防止するようにした押しボタンスイッチ装置を提供することを目的とする。
【課題を解決するための手段】
【０００６】
かかる目的を達成するため、本発明では、ハウジングと、このハウジング内に収納されたプリント回路基板に実装されたスイッチング素子と、ハウジングのスイッチング素子に対応する位置に設けられた開口を通じてスイッチング素子を押圧させる押しボタンとを備えた押しボタンスイッチ装置において、押しボタンは、一端が開口に露出し、他端がスイッチング素子のスイッチ頭部を押圧する押しボタン操作子と、弾性機能を有し、押しボタン操作子を両側から挟むような状態で支持する一対の支持部と、これら支持部の基をなし、プリント回路基板上に当接するように配設される基部とからなり、支持部は、基部から押しボタン操作子の胴部に向かって湾曲したアーチ形状をなし、当該アーチの頂部近傍を押しボタン操作子の胴部に一体的に形成する。
【０００７】
この構成によれば、押しボタンは、その押しボタン操作子が、弾性機能を有し、その胴部から一体的にアーチ形状に形成された一対の支持部により両側から支持されている。この結果、ハウジングとプリント回路基板との距離が短くしても、押しボタンを操作した際、押しボタンの中心軸の傾きは極めて少ない。しかも、押しボタンを押すことにより、弾性機能を有し、アーチ形状に湾曲した支持部が、均一に押し下げられることにより、クリック感が発生し、押しボタン操作の誤動作を防止することができる。
【０００８】
また、本発明においては、押しボタンは、押しボタン操作子、支持部および基部がプラスチック樹脂からなり、金型成型により一体形成する。この構成によれば、押しボタンがプラスチック樹脂により、金型成型により一体形成されているので極めて簡単に製作することができ、経済的であるとともに、部品点数の削減が図れる。
【０００９】
また、本発明においては、ハウジングは、その内側に基部に向けて形成された基部固定部を有するとともに、基部は、基部固定部に対応する位置に形成され、当該基部固定部が嵌装される嵌装部を有し、基部固定部を嵌装部に嵌装することにより、押しボタンを所定位置に位置決め固定する。この構成によれば、ハウジングの内側に形成された基部固定部を、基部に形成された嵌装部に嵌装することにより、押しボタンを所定位置に確実に位置決め固定することができる。この結果、押しボタンの位置決め作業の簡略化が図れる他、押しボタンの押圧操作によって、その位置がずれることがなく、誤動作の防止を図ることができる。
【００１０】
更に、本発明においては、基部は、プリント回路基板に向けて形成されたフックを有するとともに、プリント回路基板は、フックに対応する位置に形成され、当該フックが嵌入される嵌入部を有し、フックを嵌入部に嵌入することにより押しボタンを所定位置に位置決め固定する。この構成によれば、基部に形成されたフックを、プリント回路基板に形成された嵌入部に嵌入することにより、押しボタンを所定位置に確実に位置決め固定することができる。この結果、押しボタンの位置決め作業の簡略化が図れる他、押しボタンの押圧操作によって、その位置がずれることがなく、誤動作の防止を図ることができる。
【発明の効果】
【００１１】
本発明によれば、極めて簡単な構成により、押しボタンの中心軸の傾きを最小限にし、クリック感を持たし、押しボタン操作の誤動作を防止するようにした押しボタンスイッチ装置を得ることができる。
【図面の簡単な説明】
【００１２】
【図１】本発明の一実施形態に係る押しボタンスイッチ装置の一部を断面した概略構成図である。
【図２】図１に示す押しボタンスイッチ装置の上面図である。
【図３】図１に示す押しボタンの正面図である。
【図４】図３に示す押しボタンの上面図である。
【図５】本発明の第２実施形態に係る押しボタンスイッチ装置の一部を断面した概略構成図である。
【図６】図５に示す押しボタンの正面図である。
【図７】図６に示す押しボタンの上面図である。
【発明を実施するための形態】
【００１３】
（第１実施形態）
以下、本発明の一実施形態を図１乃至図４に基づいて説明する。図１に示す本発明に係る押しボタンスイッチ装置１は、例えば、テレビジョンの筐体などからなるハウジング２と、このハウジング２内に収納されたプリント回路基板３に実装されたスイッチング素子４と、ハウジング２のスイッチング素子４に対応する位置に設けられた開口２１を通じてスイッチング素子４を押圧させる押しボタン５とから構成されている。
【００１４】
かかる構成により、ユーザは、例えば、図示しないテレビジョンのハウジング２に設けられた、例えば、電源スイッチである押しボタン５を押圧し、図示しない操作パネルの操作部或いはリモートコントロール送信機を操作し、所望のチャンネルに合わせることにより、テレビジョンの液晶パネルに表示される画像を観ることができ、同時にスピーカから音声を聴くことができる。
【００１５】
而して、本発明に従い、押しボタン５は、押しボタン操作子５１と、この押しボタン操作子５１を支持する一対の支持部５２と、これら支持部５２の基をなし、プリント回路基板３上に当接するように配設される基部５３とから構成されている。押しボタン操作子５１は、一端が開口２１に露出する操作面５１ａと、他端がスイッチング素子４のスイッチ頭部４１を押圧する押圧面５１ｂと、これらの間に位置する胴部５１ｃとから形成されている。
【００１６】
支持部５２は、基部５３から押しボタン操作子５１の胴部５１ｃに向かって湾曲したアーチ形状をなし、当該アーチの頂部近傍５２ａを胴部５１ｃと一体的となるように形成されている。これら押しボタン操作子５１、支持部５２および基部５３は、例えば、ポリスチレン、ポリエチレンなどのプラスッチク樹脂を用い、金型成型により一体形成することができる。支持部５２は、押しボタン操作子５１の大きさなどにもよるが、例えば、厚さｔを０．５〜３ｍｍ、幅ｈを１〜５ｍｍ程度に設定することにより、弾性機能を付与することができ、これにより充分なクリック感を得ることができる。
【００１７】
また、ハウジング２の内側２ａには、基部に向けて突出するように形成された基部固定部２２を形成するとともに、基部５３には、基部固定部２２に対応する位置に当該基部固定部２２が嵌装される窪み（図示例）或いは貫通孔などからなる嵌装部５３ａを形成する。そして、基部固定部２２の先端２２ａを嵌装部５３ａに嵌装することにより、押しボタン５を所定位置に位置決め固定する。
【００１８】
以上の構成による本実施形態によれば、押しボタン５は、その押しボタン操作子５１が、弾性機能を有し、その胴部５１ｃから一体的にアーチ形状に形成された一対の支持部５２により両側から支持されている。この結果、ハウジング２とプリント回路基板３との距離Ｌが短くしても、押しボタン５を操作した際、押しボタン５の中心軸の傾きは極めて少なくでき、小型化が図れる。しかも、押しボタン５を押すことにより、弾性機能を有し、アーチ形状に湾曲した支持部５２が、均一に押し下げられることにより、クリック感が発生し、押しボタン操作の誤動作を防止することができる。
【００１９】
また、本実施形態によれば、押しボタン５がプラスチック樹脂により、金型成型により一体形成されているので極めて簡単に製作することができ、経済的であるとともに、部品点数の削減が図れる。
【００２０】
更に、本実施形態によれば、ハウジング２の内側に形成された基部固定部２２の先端２２ａを、基部５３に形成された嵌装部５３ａに嵌装することにより、押しボタン５を所定位置に確実に位置決め固定することができる。この結果、押しボタン５の位置決め作業の簡略化が図れる他、押しボタン５の押圧操作によって、その位置がずれることがなく、誤動作の防止を図ることができる。
【００２１】
（第２実施形態）
次に、本発明の第２実施形態について図５乃至図７を参照しながら説明する。なお、図５乃至図７において、上述した図１乃至図４と同じ符号を付した部分は、略同一のものを示すため、ここでは詳細な説明は省略する。以下、上述した第１実施形態との相違点を中心に説明する。
【００２２】
本実施形態では、図５乃至図７に示すように、ボタン操作子５１を支持する一対の支持部５２は、それぞれ基部５３から押しボタン操作子５１の胴部５１ｃに向かってそれぞれ湾曲した２つの支持片５２ｐを一組として形成するとともに、各支持片５２ｐの頂部近傍５２ｂと、胴部５１ｃとを一体的に形成して略アーチ形状にしたものである。また、基部５３には、プリント回路基板３に向けてフック５３ｂを形成するとともに、プリント回路基板３には、フック５３ｂに対応する位置に当該フック５３ｂを嵌入する窪み或いは貫通孔（図示例）などからなる嵌入部３ａを形成する。そして、フック５３ｂを嵌入部３ａに嵌入することにより、押しボタン５を所定位置に位置決め固定する。
【００２３】
以上の構成による本実施形態よれば、上述した第１実施形態と同様の作用効果を奏する他、基部５３に形成されたフック５３ｂを、プリント回路基板３に形成された嵌入部３ａに嵌装することにより、押しボタン５を所定位置に確実に位置決め固定することができる。この結果、押しボタン５の位置決め作業の簡略化が図れる他、押しボタン５の押圧操作によって、その位置がずれることがなく、誤動作の防止を図ることができる。
【００２４】
なお、上述した実施形態は、本発明の好適な実施例であるが、本発明はこれに限定されるものではなく、本発明の要旨を逸脱しない範囲において、種々変形実施可能である。
【００２５】
例えば、上述した実施形態では、押しボタン５、即ち、押しボタン操作子５１、支持部５２および基部５３を金型成型により一体形成したが、これに換えて、支持部５２および基部５３は、金型成型により一体形成し、別途、製作した押しボタン操作子５１の胴部５１ｃに、支持部５２のアーチの頂部近傍５２ａを接着剤や他の固着手段を用いて一体的に形成するようにしてもよいのは、勿論である。
【００２６】
また、上述した実施形態では、押しボタンスイッチ装置を、液晶形のテレビジョン装置に用いた場合について詳述したが、他の表示装置やビデオ装置などの電気機器、これら電器機器を操作するリモートコントロール送信機など、更には、電子機器に本発明を適用してもよいのは、勿論である。
【符号の説明】
【００２７】
１      押しボタンスイッチ装置
２      ハウジング
２１    開口
２２    基部固定部
３      プリント回路基板
３ａ    嵌入部
４      スイッチング素子
４１    スイッチ頭部
５      押しボタン
５１    押しボタン操作子
５１ｃ  胴部
５２    支持部
５２ａ  頂部近傍
５２ｂ  頂部近傍
５３    基部
５３ａ  嵌装部
５３ｂ  フック
【図１】
2010272484.tif 000003
【図２】
2010272484.tif 000004
【図３】
2010272484.tif 000005
【図４】
2010272484.tif 000006
【図５】
2010272484.tif 000007
【図６】
2010272484.tif 000008
【図７】
2010272484.tif 000009